(57)【特許請求の範囲】
【請求項１】
医療用パウチの下部排液口に接続され、術野から前記医療用パウチに流入して前記下部排液口から排出される液体を導く使い捨ての排液ホースであって、
前記下部排液口に取り付けられる取付部と、
前記取付部から連続し、径が大きい山部と径が小さい谷部とが長手方向に交互に配列された蛇腹式の伸縮部と、
を備え、
前記伸縮部が収縮状態を維持し、前記伸縮部を前記収縮状態から伸張した際に、伸張状態も維持され、さらに、前記伸縮部を屈曲させた際に、屈曲状態が維持されることを特徴とする排液ホース。
【請求項２】
請求項１に記載の排液ホースであって、
前記伸縮部が、
前記取付部から連続する第１伸縮部と、
前記第１伸縮部から連続する第１連結部と、
前記第１連結部に連結される第２連結部と、
前記第２連結部から連続する第２伸縮部と、
を備え、
樹脂にて１つの部材として形成された第１ホースが、前記取付部、前記第１伸縮部および前記第１連結部を含み、
樹脂にて１つの部材として形成された第２ホースが、前記第２連結部および前記第２伸縮部を含むことを特徴とする排液ホース。
【請求項３】
請求項１または２に記載の排液ホースであって、
透明または半透明であることを特徴とする排液ホース。
【請求項４】
請求項１ないし３のいずれかに記載の排液ホースであって、
先端の排出口を閉塞するキャップをさらに備えることを特徴とする排液ホース。
【請求項５】
医療用パウチであって、
請求項１ないし４のいずれかに記載の排液ホースと、
下部排液口に前記排液ホースが取り付けられるパウチ本体と、
を備えることを特徴とする医療用パウチ。
【請求項６】
医療用ドレープであって、
請求項５に記載の医療用パウチと、
前記医療用パウチが固定されるドレープ本体と、
を備えることを特徴とする医療用ドレープ。
【請求項７】
使い捨て医療機器セットであって、
請求項１ないし４のいずれかに記載の排液ホースを含むことを特徴とする使い捨て医療機器セット。
【請求項８】
医療用パウチの下部排液口に接続され、術野から前記医療用パウチに流入して前記下部排液口から排出される液体を導く使い捨ての排液ホースの製造方法であって、
前記排液ホースが、
前記下部排液口に取り付けられる取付部と、
前記取付部から連続し、径が大きい山部と径が小さい谷部とが長手方向に交互に配列された蛇腹式の伸縮部と、
を備え、
前記伸縮部が収縮状態を維持し、前記伸縮部を前記収縮状態から伸張した際に、伸張状態も維持され、さらに、前記伸縮部を屈曲させた際に、屈曲状態が維持され、
前記伸縮部が、
前記取付部から連続する第１伸縮部と、
前記第１伸縮部から連続する第１連結部と、
前記第１連結部に連結される第２連結部と、
前記第２連結部から連続する第２伸縮部と、
前記第２伸縮部から連続する排出部と、
を備え、
樹脂にて１つの部材として形成された第１ホースが、前記取付部、前記第１伸縮部および前記第１連結部を含み、
樹脂にて１つの部材として形成された第２ホースが、前記第２連結部、前記第２伸縮部および排出部を含み、
前記第１ホースおよび前記第２ホースが、同一形状の元部材から形成され、
前記排液ホースの製造方法が、
ａ）前記元部材の一方の端部を所定の位置で切断することにより、または、前記一方の端部を切断しないことにより、前記一方の端部に前記取付部および前記第２連結部のいずれかを選択的に設ける工程と、
ｂ）前記元部材の他方の端部を所定の位置で切断することにより、または、前記他方の端部を切断しないことにより、前記他方の端部に前記第１連結部および前記排出部のいずれかを選択的に設ける工程と、
を備えることを特徴とする排液ホースの製造方法。
【発明の詳細な説明】
【技術分野】
【０００１】
本発明は、医療用パウチの下部排液口に接続される排液ホース、並びに、当該排液ホースを備える医療用パウチ、医療用ドレープおよび使い捨て医療機器セットに関する。
【背景技術】
【０００２】
従来より、手術室において外科手術等の医療処置が行われる際には、不潔領域と定められる患者の体表や医療装置等の医療用物品の表面を医療用のドレープにて覆い、清潔領域を当該不潔領域から隔離することが行われている。患者を覆うドレープでは、患者の手術対象部位である術野をドレープから露出させるための開口が設けられている。
【０００３】
膀胱や前立腺等の下腹部の手術や開頭手術、あるいは、関節鏡を利用した膝関節の手術等では、術野に対して灌流水や生理用食塩水等を連続的あるいは断続的に付与しつつ手術が行われることがある。このような手術に利用されるドレープでは、術野から流れ落ちる灌流水や生理用食塩水、血液等を受けて所定の廃液タンク等へと送る医療用パウチが、術野を露出させるための開口近傍に取り付けられている。例えば、特許文献１では、下腹部の手術時に利用される流水袋付ドレープが開示されている。流水袋付ドレープでは、流水袋の底部に排液ホースを取り付けることにより、比較的小さい流水袋で大量の液体の処理が可能とされる。
【先行技術文献】
【特許文献】
【０００４】
【特許文献１】実公平３−１３２９８号公報
【発明の概要】
【発明が解決しようとする課題】
【０００５】
ところで、医療施設内において医療処置が行われる際には、ガーゼ、メス、ドレープ等の様々な医療機器が使用されおり、感染防止等の衛生管理の質の向上の観点から、これらの医療機器に使い捨てのものが利用されることが多い。また、近年、医療処置の内容に合わせて用意された複数の医療機器を梱包した使い捨て医療機器セットが使用されており、これにより、医療処置前に行われる医療機器の準備作業の簡素化、および、これらの医療機器の在庫管理の簡素化が図られている。
【０００６】
このような使い捨て医療機器セットに特許文献１のようなドレープが含まれる場合、使い捨て医療機器セットを小型化するために、排液ホースは、環状に巻かれた状態や折り曲げられた状態で使い捨て医療機器セットのトレイ等に収容されて梱包される。このため、塩化ビニル等により形成されている排液ホースが変形して直線状に戻らなくなってしまい（すなわち、巻き癖や折り癖がついてしまい）、排液ホースの先端を廃液タンク等に入れることが困難となるおそれがある。また、搬送時等に使い捨て医療機器セットに荷重が加わることにより、排液ホースが部分的に押し潰されて液体の排出が困難となるおそれもある。さらには、ドレープを使用する医療施設毎に好ましい排液ホースの長さが異なるため、排液ホースが長すぎて手術の邪魔になる場合もある。
【０００７】
本発明は、上記課題に鑑みなされたものであり、排液ホースの意図しない変形を防止するとともに排液ホースの長さを容易に調節することを主な目的としている。
【課題を解決するための手段】
【０００８】
請求項１に記載の発明は、医療用パウチの下部排液口に接続され、術野から前記医療用パウチに流入して前記下部排液口から排出される液体を導く使い捨ての排液ホースであって、前記下部排液口に取り付けられる取付部と、前記取付部から連続し、径が大きい山部と径が小さい谷部とが長手方向に交互に配列された蛇腹式の伸縮部とを備え、前記伸縮部が収縮状態を維持し、前記伸縮部を前記収縮状態から伸張した際に、伸張状態も維持され、さらに、前記伸縮部を屈曲させた際に、屈曲状態が維持される。
【０００９】
請求項２に記載の発明は、請求項１に記載の排液ホースであって、前記伸縮部が、前記取付部から連続する第１伸縮部と、前記第１伸縮部から連続する第１連結部と、前記第１連結部に連結される第２連結部と、前記第２連結部から連続する第２伸縮部と
を備え、樹脂にて１つの部材として形成された第１ホースが、前記取付部、前記第１伸縮部および前記第１連結部を含み、樹脂にて１つの部材として形成された第２ホースが、前記第２連結部および前記第２伸縮部を含む。
【００１１】
請求項３に記載の発明は、請求項１または２に記載の排液ホースであって、透明または半透明である。
【００１２】
請求項４に記載の発明は、請求項１ないし３のいずれかに記載の排液ホースであって、先端の排出口を閉塞するキャップをさらに備える。
【００１４】
請求項５に記載の発明は、医療用パウチであって、請求項１ないし４のいずれかに記載の排液ホースと、下部排液口に前記排液ホースが取り付けられるパウチ本体とを備える。
【００１５】
請求項６に記載の発明は、医療用ドレープであって、請求項５に記載の医療用パウチと、前記医療用パウチが固定されるドレープ本体とを備える。
【００１６】
請求項７に記載の発明は、使い捨て医療機器セットであって、請求項１ないし４のいずれかに記載の排液ホースを含む。
請求項８に記載の発明は、医療用パウチの下部排液口に接続され、術野から前記医療用パウチに流入して前記下部排液口から排出される液体を導く使い捨ての排液ホースの製造方法であって、前記排液ホースが、前記下部排液口に取り付けられる取付部と、前記取付部から連続し、径が大きい山部と径が小さい谷部とが長手方向に交互に配列された蛇腹式の伸縮部とを備え、前記伸縮部が収縮状態を維持し、前記伸縮部を前記収縮状態から伸張した際に、伸張状態も維持され、さらに、前記伸縮部を屈曲させた際に、屈曲状態が維持され、前記伸縮部が、前記取付部から連続する第１伸縮部と、前記第１伸縮部から連続する第１連結部と、前記第１連結部に連結される第２連結部と、前記第２連結部から連続する第２伸縮部と、前記第２伸縮部から連続する排出部とを備え、樹脂にて１つの部材として形成された第１ホースが、前記取付部、前記第１伸縮部および前記第１連結部を含み、樹脂にて１つの部材として形成された第２ホースが、前記第２連結部、前記第２伸縮部および排出部を含み、前記第１ホースおよび前記第２ホースが、同一形状の元部材から形成され、前記排液ホースの製造方法が、ａ）前記元部材の一方の端部を所定の位置で切断することにより、または、前記一方の端部を切断しないことにより、前記一方の端部に前記取付部および前記第２連結部のいずれかを選択的に設ける工程と、ｂ）前記元部材の他方の端部を所定の位置で切断することにより、または、前記他方の端部を切断しないことにより、前記他方の端部に前記第１連結部および前記排出部のいずれかを選択的に設ける工程とを備える。
【発明の効果】
【００１７】
本発明では、医療用パウチの下部排液口に接続される排液ホースの意図しない変形を防止することができるとともに排液ホースの長さを容易に調節することができる。
【図面の簡単な説明】
【００１８】
【図１】一の実施の形態に係る医療用ドレープを示す図である。
【図２】使い捨て医療機器セットを示す図である。
【図３】排液ホースを拡大して示す図である。
【図４】収縮状態の排液ホースを示す図である。
【図５】第１ホースを示す図である。
【図６】第２ホースを示す図である。
【図７】元部材を示す図である。
【図８】第３ホースを示す図である。
【発明を実施するための形態】
【００１９】
図１は、本発明の一の実施の形態に係る医療用ドレープ１を示す図である。医療用ドレープ１（以下、単に「ドレープ１」という。）は、医療施設内において手術等の医療処置が行われる患者を覆うことにより、不潔領域である患者の体表から清潔領域を隔離するシート状の部材である。ドレープ１は、例えば、泌尿器科や脳外科、整形外科等の手術に利用される。図２に示すように、ドレープ１は、医療処置の内容に合わせて用意された複数の使い捨ての医療機器のセットである使い捨て医療機器セット６に含まれている。ドレープ１は、折り畳まれた状態で、使い捨て医療機器セット６のトレイ６１に収容される。
【００２０】
図１に示すように、ドレープ１は、患者を覆うシート状のドレープ本体１１、および、ドレープ本体１１に固定される医療用パウチ２（以下、単に「パウチ２」という。）を備える。ドレープ本体１１には、患者の手術対象部位である術野を露出させるための開口１１１が形成されており、開口１１１の近傍において、パウチ２の上端部がドレープ本体１１に両面テープ等で固定される。
【００２１】
パウチ２は、患者の術野に対して灌流水や生理用食塩水等を連続的あるいは断続的に付与しつつ行われる手術の際に、術野からの液体（例えば、血液や体液、術野の洗浄に利用された灌流水や生理用食塩水等）を受ける、いわゆる受水袋である。図１では、パウチ２の使用前（すなわち、未使用時）の状態を示している。
【００２２】
パウチ２は、袋状のパウチ本体２１、および、パウチ本体２１に取り付けられる略円筒状の排液ホース３を備える。パウチ本体２１は、ポリエチレン等の透明または半透明の柔軟な樹脂材料により形成されたほぼ同形状の２つのシート部材を重ね、図１中の左右方向の両側の側縁にて２つのシート状の部材をヒートシール等により互いに接合することにより形成される。パウチ２が使用される際には、図１中におけるパウチ本体２１の上端が大きく広げられ、術野からの液体を受ける受液口２１１が形成される。パウチ本体２１の下端部には、下向きに突出する略円筒状の導管部２１２が設けられており、導管部２１２の先端には、受液口２１１からパウチ本体２１内に流入した液体を排出する下部排液口２１３が設けられる。排液ホース３は、パウチ本体２１の導管部２１２に嵌合することにより、下部排液口２１３に取り付けられる。
【００２３】
図３は、排液ホース３を拡大して示す図である。排液ホース３は、パウチ本体２１の下部排液口２１３に取り付けられる取付部３１、取付部３１から連続する蛇腹式の伸縮部３２、伸縮部３２から連続する排出部３３、および、排出部３３の先端の排出口３３１を閉塞するキャップ３４を備える。図３では、図示の都合上、伸縮部３を実際よりも短く描いている（他の図においても同様）。排液ホース３は、好ましくは、耐薬品性を有する樹脂（例えば、ポリプロピレン等のオレフィン系の樹脂）により形成される。
【００２４】
取付部３１は略円筒状であり、伸縮部３２は蛇腹状である。また、排出部３３は、排出口３３１に近づくに従って径が漸次減少する略円錐台状である。排出部３３は、医療施設に設けられた廃液吸引用のホースや開口等に差し込まれる。取付部３１、伸縮部３２および排出部３３は、透明または半透明である。キャップ３４は、一方の端部が閉塞された略円筒状の部材であり、伸縮部３２に嵌合された円環部３４１に、帯状の接続部３４２を介して接続される。
【００２５】
伸縮部３２は、径が大きい複数の山部３２１、および、径が小さい複数の谷部３２２を備える。実際には、伸縮部３２は、それぞれ４０〜７０個程度の山部３２１および谷部３２２を備えるが、図３では、図示の都合上、山部３２１および谷部３２２の個数を実際よりも少なく描いている（他の図においても同様）。図３に示す伸張状態の伸縮部３２では、複数の山部３２１と複数の谷部３２２とが、長手方向（図３中の上下方向）に交互に配列される。山部３２１において最大径となる頂部３２３の上側の面３２４、および、下側の面３２５は、頂部３２３から長手方向に離れるに従って径が漸次減少する略円錐面である。以下の説明では、面３２４を「第１傾斜面３２４」といい、面３２５を「第２傾斜面３２５」という。第１傾斜面３２４の母線は、第２傾斜面３２５の母線よりも短い。また、第１傾斜面３２４の肉厚と第２傾斜面３２５の肉厚とは、およそ等しい。
【００２６】
排液ホース３では、頂部３２３を境界として第１傾斜面３２４が反転して（すなわち、第１傾斜面３２４の上側のエッジと下側のエッジの長手方向における位置関係が逆転して）、第１傾斜面３２４の内面が第２傾斜面３２５の内面に沿うように近接することにより、図４に示すように、伸縮部３２が収縮し、収縮状態が維持される。また、収縮状態の排液ホース３の両端部（例えば、取付部３１および排出部３３）が把持されて両側に引っ張られることにより、伸縮部３２が伸張され、図３に示すように、伸張状態が維持される。伸張状態の伸縮部３２の長さは、約１００ｃｍである。また、収縮状態の伸縮部３２の長さは、伸張状態の長さの約２０％である。
【００２７】
排液ホース３では、伸縮部３２を部分的に収縮状態とし、他の部分を伸張状態とすることにより、排液ホース３の長さを適宜調整することができる。また、排液ホース３では、頂部３２３を境界として、第１傾斜面３２４の周方向における一部のみを反転させ、第１傾斜面３２４の当該一部の内面を第２傾斜面３２５の内面に沿うように近接させることにより、伸縮部３２を屈曲させて屈曲状態を維持することもできる。
【００２８】
排液ホース３の取付部３１、伸縮部３２および排出部３３は、２つのホース３６，３７を連結することにより形成される。以下の説明では、取付部３１を含むホース３６を「第１ホース３６」といい、排出部３３を含むホース３７を「第２ホース３７」という。第１ホース３６および第２ホース３７はそれぞれ、樹脂にて１つの部材として形成される。
【００２９】
図５は、第１ホース３６を示す図であり、図６は、第２ホース３７を示す図である。図５に示すように、第１ホース３６は、取付部３１、取付部３１から連続する第１伸縮部３６１、および、第１伸縮部３６１から連続する第１連結部３６２をこの順で含む。第１連結部３６２は、外側面にねじ山が設けられた雄ねじ部であり、外側面の先端近傍には、ゴム等により形成された円環状のパッキン３６３が取り付けられる。また、取付部３１の図５中の下部（すなわち、第１伸縮部３６１近傍の部位）の内側面にはねじ溝が設けられる。図６に示すように、第２ホース３７は、第２連結部３７２、第２連結部３７２から連続する第２伸縮部３７１、および、第２伸縮部３７１から連続する排出部３３をこの順で含む。第２連結部３７２は、内側面にねじ溝が設けられた雌ねじ部である。また、排出部３３の図６中の上部（すなわち、第２伸縮部３７１近傍の部位）の外側面にはねじ山が設けられる。
【００３０】
第１ホース３６と第２ホース３７とが連結される際には、図３に示すように、第２ホース３７の第２連結部３７２に第１ホース３６の第１連結部３６２が挿入され、第１連結部３６２に第２連結部３７２が螺合されて連結される。排液ホース３では、第１伸縮部３６１、第１連結部３６２、第２連結部３７２および第２伸縮部３７１により伸縮部３２が形成される。換言すれば、伸縮部３２は、第１伸縮部３６１、第１連結部３６２、第２連結部３７２および第２伸縮部３７１を備える。なお、伸縮部３２において実際に伸縮する部位は、第１伸縮部３６１および第２伸縮部３７１である。このように、排液ホース３が、第１ホース３６と第２ホース３７とが連結される構造であることにより、排液ホース３の製造に係る部材の製造単位が小型化される。このため、排液ホース３の製造が容易となり、排液ホース３の製造方法の選択の自由度を高くすることができる。
【００３１】
第１ホース３６および第２ホース３７は、図７に示す同一形状の元部材３８から形成される。本実施の形態では、元部材３８は、溶融状態の筒状の樹脂原料を金型にて挟んだ状態で内側にガスを吹き込んで膨らませる方法（いわゆる、ブロー成形）により形成される。第１ホース３６（図５参照）が形成される際には、元部材３８の一方の端部３８１（図７中の上側の端部であり、以下、「上端部３８１」という。）は切断されず、上端部３８１が取付部３１となる。また、元部材３８の他方の端部である下端部３８２が、図７中において二点鎖線にて示す所定の位置３８３にて切断されることにより、第１連結部３６２（図５参照）が形成される。位置３８３は、下端部３８２のうち、ねじ山が形成される上部とねじ山が形成されない下部との間に設定される。第１連結部３６２の先端には、上述のパッキン３６３（図５参照）が取り付けられる。
【００３２】
第２ホース３７（図６参照）が形成される際には、元部材３８の上端部３８１が、図７中において二点鎖線にて示す所定の位置３８４にて切断されることにより、第２連結部３７２が形成される。位置３８４は、上端部３８１のうち、ねじ溝が形成される下部とねじ溝が形成されない上部との間に設定される。また、元部材３８の下端部３８２は切断されず、下端部３８２が排出部３３となる。
【００３３】
換言すれば、排液ホース３の製造では、同一形状の元部材３８の上端部３８１を位置３８４にて切断することにより、または、上端部３８１を切断しないことにより、第２ホース３７の第２連結部３７２、および、第１ホース３６の取付部３１のいずれかが上端部３８１に選択的に設けられる。また、元部材３８の下端部３８２を位置３８３にて切断することにより、または、下端部３８２を切断しないことにより、第１ホース３６の第１連結部３６２、および、第２ホース３７の排出部３３のいずれかが下端部３８２に選択的に設けられる。このように、第１ホース３６および第２ホース３７が、同一形状の元部材３８を利用して形成されることにより、排液ホース３の製造を簡素化することができる。その結果、排液ホース３の製造コストを低減することができる。
【００３４】
以上に説明したように、排液ホース３では、蛇腹式の伸縮部３２を収縮した場合に収縮状態が維持され、伸縮部３２を伸張した場合に伸張状態が維持される。このため、使用前の排液ホース３を、使い捨て医療機器セット６のトレイ６１等に収縮状態にて収容することができる。また、収容時に排液ホース３を環状に巻く必要がないため、排液ホース３に巻き癖等がついて直線状に戻らなくなってしまうことが防止される。さらに、蛇腹状の伸縮部３２は、円筒状のホースに比べて側面からの荷重に対する強度が高いため、使い捨て医療機器セット６の搬送時や保管時、あるいは、加熱滅菌時等に積み重ねられることにより加わる荷重により、排液ホース３が押し潰されてしまうことが防止される。
【００３５】
このような排液ホース３の構造により、排液ホース３の収容に要する空間を小さくすることができるとともに、意図しない排液ホース３の変形を防止することができる。その結果、排液ホース３は、術野からパウチ２に流入した液体を容易かつ迅速に所望の位置へと導くことができる。したがって、排液ホース３の構造は、小型化が要求されるとともに積み重ねられることが多い使い捨て医療機器セット６に含まれる排液ホースに特に適している。
【００３６】
排液ホース３が使用される際には、伸縮部３２の伸張状態が調節されることにより、排液ホース３の長さを容易に調節することができる。その結果、排液ホース３の長さを、医療施設の構造等に適した所望の長さとすることができる。これにより、排液ホース３が長すぎて手術の邪魔になってしまうことを防止することができる。また、排液ホース３では、伸縮部３２を屈曲させて屈曲状態を維持することができるため、排液ホース３の排出部３３を所望の方向に向けることができる。その結果、術野からパウチ２に流入した液体を一層容易に所望の位置へと導くことができる。さらに、排液ホース３は、塩化ビニル等により形成された厚肉の円筒状のホースに比べて軽いため、排液ホース３の取り扱いを容易とすることができる。
【００３７】
排液ホース３は、透明または半透明であるため、術野からの液体に含まれる固形物等により排液ホース３が詰まってしまった場合であっても、排液ホース３の詰まった部位を容易に特定することができる。その結果、詰まった固形物等を容易に取り除くことができる。排液ホース３では、第１ホース３６と第２ホース３７との連結を解除することにより、より容易に固形物等を取り除くことができる。
【００３８】
術野からほとんど液体が流れない手術等のように、排液ホース３による液体の排出が不要である場合、排液ホース３の伸縮部３２は収縮状態とされ、排液ホース３の排出口３３１は、キャップ３４により閉塞される。これにより、排液ホース３をパウチ本体２１から取り外してパウチ本体２１の下部排液口２１３を他の部材で閉塞する必要がなくなる。その結果、手術の準備に要する時間を短縮することができる。また、パウチ本体２１から伸びる排液ホース３が短いため、排液ホース３が手術の邪魔になることも防止される。
【００３９】
一方、術野から流れる液体を計量したい場合にも、キャップ３４により排液ホース３の排出口３３１が閉塞される。そして、伸張状態の排液ホース３（および、パウチ本体２１）に溜まった液体の量が計測される。上述のように、第１ホース３６の第１連結部３６２の先端部にはパッキン３６３が設けられており、パッキン３６３が、互いに対向する第１連結部３６２の外側面と第２連結部３７２の内側面とに接することにより、第１連結部３６２と第２連結部３７２との間に水密構造が構成される。このため、液体が排液ホース３の第１ホース３６まで溜まっている場合であっても、第１ホース３６と第２ホース３７との連結部から液体が漏出することを防止することができる。
【００４０】
以上、本発明の実施の形態について説明してきたが、本発明は上記実施の形態に限定されるものではなく、様々な変更が可能である。
【００４１】
例えば、医療施設に廃液吸引用のホースや開口等が設けられておらず、排液ホース３の先端がバケツや大きな排水口に入れられる場合等には、排液ホース３の第２ホース３７が、位置３８３（図７参照）等にて切断されて排出部３３が除去されてもよい。
【００４２】
使い捨て医療機器セット６では、パウチ本体２１に排液ホース３が取り付けられた状態のパウチ２が、ドレープ本体１１に固定された状態で収容されてもよく、パウチ２がドレープ本体１１に取り付けられることなく、単体で収容されてもよい。また、排液ホース３がパウチ本体２１に取り付けられることなく、単体で収容されてもよい。排液ホース３の第１ホース３６と第２ホース３７とは、連結された状態で収容されてもよく、連結が解除された状態で収容されてもよい。なお、排液ホース３、パウチ２およびドレープ１はそれぞれ、必ずしも使い捨て医療機器セット６に含まれる必要はなく、単体で取り扱われてよい。
【００４３】
排液ホース３は、第１ホース３６と第２ホース３７とが連結された構造である必要はなく、例えば、１つの元部材３８が、排液ホース３としてパウチ本体２１の下部排液口２１３に取り付けられてもよい。あるいは、元部材３８から形成された３本以上のホースが連結されて排液ホース３が形成されてもよい。例えば、図８に示す第３ホース３９が、第１ホース３６と第２ホース３７との間に連結されてもよい。第３ホース３９は、図７に示す元部材３８の上端部３８１および下端部３８２を、位置３８４および位置３８３にて切断することにより形成される。第３ホース３９は、上端に雌ねじ部である連結部３９１を有し、下端に雄ねじ部である連結部３９２を有する。第１ホース３６と第２ホース３７との間に連結される第３ホース３９は、１つでも複数でもよい。
【００４４】
上記実施の形態および各変形例における構成は、相互に矛盾しない限り適宜組み合わせられてよい。
【符号の説明】
【００４５】
１    医療用ドレープ
２    医療用パウチ
３    排液ホース
６    医療機器セット
１１    ドレープ本体
２１    パウチ本体
３１    取付部
３２    伸縮部
３３    排出部
３４    キャップ
３６    第１ホース
３７    第２ホース
３８    元部材
２１３    下部排液口
３２１    山部
３２２    谷部
３３１    排出口
３６１    第１伸縮部
３６２    第１連結部
３７１    第２伸縮部
３７２    第２連結部
３８１    上端部
３８２    下端部
【図１】
0005907587.tif 000002
【図２】
0005907587.tif 000003
【図３】
0005907587.tif 000004
【図４】
0005907587.tif 000005
【図５】
0005907587.tif 000006
【図６】
0005907587.tif 000007
【図７】
0005907587.tif 000008
【図８】
0005907587.tif 000009